(57)【要約】    【課題】  滑らかで良質な動画表示が得られるようにした場合であっても小型化が容易な構造を有し、静止画を表示するときや動画表示の滑らかさよりも画面の明るさが優先されるようなときにおいても光利用効率が大幅に低下しないプロジェクタを提供する。    【解決手段】  光源装置１１０と、第１レンズアレイ１２０と、第２レンズアレイ１３０と、重畳レンズ１５０と、液晶表示装置４００Ｒ，４００Ｇ，４００Ｂと、投写光学系６００と、光シャッタとしての回転板２０と、この回転板２０を回転させるための駆動モータ１０及びこの駆動モータ１０を駆動制御する駆動モータ制御装置１２からなる回転制御装置１４とを備えたプロジェクタ１０００Ａであって、回転制御装置１４は、回転板２０を、光源装置１１０から照明光束が光透過領域２２を通過する状態で静止させる機能を有することを特徴とするプロジェクタ。【選択図】  図１
2005250384.tif 000002
【特許請求の範囲】
【請求項１】
被照明領域側に照明光束を集束光束として射出する光源装置と、
この光源装置からの照明光束が集束する位置よりも前記光源装置から遠い側に配置され、前記光源装置からの照明光束を略平行な照明光束に変換する平行化凸レンズと、
この平行化凸レンズからの照明光束を複数の部分光束に分割するための複数の小レンズを有する第１レンズアレイと、
複数の小レンズを有する第２レンズアレイと、
この第２レンズアレイからの各部分光束を被照明領域で重畳させるための重畳レンズと、
この重畳レンズによって重畳された照明光束を画像情報に応じて変調する電気光学変調装置と、
この電気光学変調装置によって変調された照明光束を投写する投写光学系と、
前記光源装置からの照明光束が集束する位置近傍に配置され、光軸に平行な回転軸を有するとともに、この回転軸の回転方向に沿って交互に配置された光透過領域及び光非透過領域を有し、その回転によって、前記電気光学変調装置に照射される照明光束が前記電気光学変調装置の画面書込み周波数に同期して遮断されるよう間欠的に光の遮断を行う回転部材と、
この回転部材を回転させるための駆動モータ及びこの駆動モータを駆動制御する駆動モータ制御装置からなる回転制御装置とを備えたプロジェクタであって、
前記回転制御装置は、前記光源装置からの照明光束が前記光透過領域を通過する状態で前記回転部材を静止させる機能を有することを特徴とするプロジェクタ。
【請求項２】
請求項１に記載のプロジェクタにおいて、
前記回転部材の回転位置を検出するための回転位置検出装置をさらに備え、
前記回転制御装置は、前記回転位置検出装置による検出結果に基づいて、前記光源装置からの照明光束が前記光透過領域を通過する状態で前記回転部材を静止させる機能を有することを特徴とするプロジェクタ。
【請求項３】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって、変調された照明光束を投写する投写光学系と、
前記インテグレータロッドの光入射面近傍に配置され、光軸に平行な回転軸を有するとともに、この回転軸の回転方向に沿って交互に配置された光透過領域及び光非透過領域を有し、その回転によって前記電気光学変調装置に照射される照明光束が前記電気光学変調装置の画面書込み周波数に同期して遮断されるよう間欠的に光の遮断を行う回転部材と、
この回転部材を回転させるための駆動モータ及びこの駆動モータを駆動制御する駆動モータ制御装置からなる回転制御装置と、
前記回転部材の回転位置を検出するための回転位置検出装置とを備えたプロジェクタであって、
前記回転制御装置は、前記回転位置検出装置による検出結果に基づいて、前記光源装置からの照明光束が前記光透過領域を通過する状態で前記回転部材を静止させる機能を有することを特徴とするプロジェクタ。
【請求項４】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転部材と、
この回転部材を回転させるための駆動モータ及びこの駆動モータを駆動制御する駆動モータ制御装置からなる回転制御装置と、
前記回転部材の回転位置を検出するための回転位置検出装置とを備えたプロジェクタであって、
前記回転制御装置は、前記回転位置検出装置による検出結果に基づいて、前記光源装置からの照明光束が前記光透過領域を通過する状態で前記回転部材を静止させる機能を有することを特徴とするプロジェクタ。
【請求項５】
請求項１〜４のいずれかに記載のプロジェクタにおいて、
前記回転部材の光透過領域には減反射膜が形成されていることを特徴とするプロジェクタ。
【請求項６】
請求項１〜５のいずれかに記載のプロジェクタにおいて、
前記回転部材の光非透過領域には反射膜が形成されていることを特徴とするプロジェクタ。
【請求項７】
請求項６に記載のプロジェクタにおいて、
前記反射膜は前記光非透過領域の光入射面側に形成されていることを特徴とするプロジェクタ。
【請求項８】
請求項２〜７のいずれかに記載のプロジェクタにおいて、
前記駆動モータの回転部分又は前記回転部材には前記回転部材の回転位置を検出するための検出マークが配置され、
前記回転位置検出装置は、前記検出マークを光学的に検知して前記回転部材の回転位置を検出することを特徴とするプロジェクタ。
【請求項９】
請求項２〜７のいずれかに記載のプロジェクタにおいて、
前記回転位置検出装置は、前記回転部材における光透過領域と光非透過領域からなるパターンを光学的に検知して前記回転部材の回転位置を検出することを特徴とするプロジェクタ。
【請求項１０】
請求項１〜９のいずれかに記載のプロジェクタにおいて、
前記駆動モータはパルスモータであることを特徴するプロジェクタ。
【請求項１１】
請求項１０に記載のプロジェクタにおいて、
前記駆動モータ制御装置は、前記駆動モータの回転速度を加速又は減速する際に用いる加減速テーブルを有することを特徴とするプロジェクタ。
【請求項１２】
請求項１〜９のいずれかに記載のプロジェクタにおいて、
前記駆動モータはＤＣモータであることを特徴とするプロジェクタ。
【請求項１３】
請求項１２に記載のプロジェクタにおいて、
前記駆動モータの回転部分又は前記回転部材には、その回転方向に沿って、前記回転部材の回転位置を検出するための複数の位置検出マークが配置されていることを特徴とするプロジェクタ。
【発明の詳細な説明】
【技術分野】
【０００１】
本発明はプロジェクタに関する。
【背景技術】
【０００２】
図１２は、従来のプロジェクタを説明するために示す図である。図１２（ａ）は従来のプロジェクタの光学系を示す図であり、図１２（ｂ）及び図１２（ｃ）はこのような従来のプロジェクタの問題点を説明するために示す図である。
このプロジェクタ９００Ａにおいては、電気光学変調装置として用いる液晶表示装置４００Ｒ，４００Ｇ，４００Ｂが、図１２（ｂ）に示すような輝度特性を有するホールド型の表示装置であるため、図１２（ｃ）に示すような輝度特性を有するインパルス型の表示装置であるＣＲＴの場合とは異なり、いわゆる尾引き現象のために滑らかな動画表示が得られないという問題がある（この尾引き現象については、例えば、非特許文献１参照。）。
【０００３】
図１３は、従来の他のプロジェクタを説明するために示す図である。図１３（ａ）は従来の他のプロジェクタの光学系を示す図であり、図１３（ｂ）及び図１３（ｃ）はこのような従来の他のプロジェクタに用いられる光シャッタを示す図である。
このプロジェクタ９００Ｂにおいては、図１３（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報  ＥＩＤ９９−１０  第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。また、このようなプロジェクタにおいては、光シャッタにより間欠的に光を遮断するようにしているため、滑らかで良質な動画表示が得られるようにしたときはもちろん、静止画を表示するときや動画表示の滑らかさよりも画面の明るさが優先されるようなときにおいても、常に光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、静止画を表示するときや動画表示の滑らかさよりも画面の明るさが優先されるようなときにおいても、光利用効率が大幅に低下しないプロジェクタを提供することを第２の目的とする。
【課題を解決するための手段】
【０００６】
（１）本発明のプロジェクタは、被照明領域側に照明光束を集束光束として射出する光源装置と、この光源装置からの照明光束が集束する位置よりも前記光源装置から遠い側に配置され、前記光源装置からの照明光束を略平行な照明光束に変換する平行化凸レンズと、この平行化凸レンズからの照明光束を複数の部分光束に分割するための複数の小レンズを有する第１レンズアレイと、複数の小レンズを有する第２レンズアレイと、この第２レンズアレイからの各部分光束を被照明領域で重畳させるための重畳レンズと、この重畳レンズによって重畳された照明光束を画像情報に応じて変調する電気光学変調装置と、この電気光学変調装置によって変調された照明光束を投写する投写光学系と、前記光源装置からの照明光束が集束する位置近傍に配置され、光軸に平行な回転軸を有するとともに、この回転軸の回転方向に沿って交互に配置された光透過領域及び光非透過領域を有し、その回転によって、前記電気光学変調装置に照射される照明光束が前記電気光学変調装置の画面書込み周波数に同期して遮断されるよう間欠的に光の遮断を行う回転部材と、この回転部材を回転させるための駆動モータ及びこの駆動モータを駆動制御する駆動モータ制御装置からなる回転制御装置とを備えたプロジェクタであって、前記回転制御装置は、前記光源装置からの照明光束が前記光透過領域を通過する状態で前記回転部材を静止させる機能を有することを特徴とする。
【０００７】
このため、本発明のプロジェクタによれば、電気光学変調装置に照射される照明光束が電気光学変調装置の画面書込み周波数に同期して遮断されるよう間欠的に光の遮断を行う回転部材を備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する回転部材を光源装置からの照明光束が集束する位置近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【０００８】
また、本発明のプロジェクタによれば、回転制御装置は、光源装置からの照明光束が光透過領域を通過する状態で回転部材を静止させる機能を有するものであるため、静止画を表示するときや動画表示の滑らかさよりも画面の明るさが優先されるようなときには、光源装置からの照明光束が光透過領域を通過する状態で回転部材を静止させることにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには、回転部材を回転させることにより滑らかで良質な動画表示を得ることができ、静止画を表示するときや動画表示の滑らかさよりも画面の明るさが優先されるようなときには、光源装置からの照明光束が光透過領域を通過する状態で回転部材を静止させることにより明るい表示画面を得ることができ、使用目的に応じて最適な性能を発揮することができる。
【０００９】
（２）上記（１）に記載のプロジェクタにおいては、前記回転部材の回転位置を検出するための回転位置検出装置をさらに備え、前記回転制御装置は、前記回転位置検出装置による検出結果に基づいて、前記光源装置からの照明光束が前記光透過領域を通過する状態で前記回転部材を静止させる機能を有することが好ましい。
このように構成することにより、回転制御装置は、回転位置検出装置による検出結果に基づいて、回転部材を任意の特定位置で正確に静止させることができるようになる。このため、静止画を表示するときや動画表示の滑らかさよりも画面の明るさが優先されるようなときには、光源装置からの照明光束が光透過領域を通過する状態で回転部材を静止させることができるようになり、光利用効率を向上することができる。
【００１０】
（３）本発明者は、光均一化光学系としてインテグレータロッドを用い、このインテグレータロッドの光入射面近傍に、上記のような回転部材を配置した場合であっても、上記した第１の目的及び第２の目的がともに達成できることを見出した。
【００１１】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光入射面近傍に配置され、光軸に平行な回転軸を有するとともに、この回転軸の回転方向に沿って交互に配置された光透過領域及び光非透過領域を有し、その回転によって、前記電気光学変調装置に照射される照明光束が前記電気光学変調装置の画面書込み周波数に同期して遮断されるよう間欠的に光の遮断を行う回転部材と、この回転部材を回転させるための駆動モータ及びこの駆動モータを駆動制御する駆動モータ制御装置からなる回転制御装置と、前記回転部材の回転位置を検出するための回転位置検出装置とを備えたプロジェクタであって、前記回転制御装置は、前記回転位置検出装置による検出結果に基づいて、前記光源装置からの照明光束が前記光透過領域を通過する状態で前記回転部材を静止させる機能を有することを特徴とする。
【００１２】
このため、本発明のプロジェクタによれば、電気光学変調装置に照射される照明光束が電気光学変調装置の画面書込み周波数に同期して遮断されるよう間欠的に光の遮断を行う回転部材を備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する回転部材を比較的小さな面積となるインテグレータロッドの光入射面近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１３】
また、本発明のプロジェクタによれば、回転制御装置は、光源装置からの照明光束が光透過領域を通過する状態で回転部材を静止させる機能を有するものであるため、静止画を表示するときや動画表示の滑らかさよりも画面の明るさが優先されるようなときには、光源装置からの照明光束が光透過領域を通過する状態で回転部材を静止させることにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには、回転部材を回転させることにより滑らかで良質な動画表示を得ることができ、静止画を表示するときや動画表示の滑らかさよりも画面の明るさが優先されるようなときには、光源装置からの照明光束が光透過領域を通過する状態で回転部材を静止させることにより明るい表示画面を得ることができ、使用目的に応じて最適な性能を発揮することができる。
【００１４】
また、本発明のプロジェクタによれば、回転制御装置は、回転位置検出装置による検出結果に基づいて、回転部材を任意の特定位置で正確に静止させることができるようになる。このため、静止画を表示するときや動画表示の滑らかさよりも画面の明るさが優先されるようなときには、光源装置からの照明光束が光透過領域を通過する状態で回転部材を静止させることができるようになり、光利用効率を向上することができる。
【００１５】
（４）本発明者は、光均一化光学系としてインテグレータロッドを用い、このインテグレータロッドの光射出面近傍に、渦巻き状に形成された光透過領域と光非透過領域とを有する回転部材を配置した場合であっても、上記した第１の目的及び第２の目的がともに達成できることを見出した。
【００１６】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転部材と、この回転部材を回転させるための駆動モータ及びこの駆動モータを駆動制御する駆動モータ制御装置からなる回転制御装置と、前記回転部材の回転位置を検出する回転位置検出装置とを備えたプロジェクタであって、前記回転制御装置は、前記回転位置検出装置による検出結果に基づいて、前記光源装置からの照明光束が前記光透過領域を通過する状態で前記回転部材を静止させる機能を有することを特徴とする。
【００１７】
このため、本発明のプロジェクタによれば、電気光学変調装置の画面書込み周波数に同期して、光照射領域と光非照射領域とが順次交互にスクロールされるように、渦巻き状に形成された光透過領域及び光非透過領域を有する回転部材を備えているため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
また、本発明のプロジェクタによれば、このような効果を奏する回転部材を比較的小さな面積となるインテグレータロッドの光射出面近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１８】
また、本発明のプロジェクタによれば、回転制御装置は、光源装置からの照明光束が光透過領域を通過する状態で回転部材を静止させる機能を有するものであるため、静止画を表示するときや動画表示の滑らかさよりも画面の明るさが優先されるようなときには、光源装置からの照明光束が光透過領域を通過する状態で回転部材を静止させることにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには、回転部材を回転させることにより滑らかで良質な動画表示を得ることができ、静止画を表示するときや動画表示の滑らかさよりも画面の明るさが優先されるようなときには、光源装置からの照明光束が光透過領域を通過する状態で回転部材を静止させることにより明るい表示画面を得ることができ、使用目的に応じて最適な性能を発揮することができる。
【００１９】
また、本発明のプロジェクタによれば、回転制御装置は、回転位置検出装置による検出結果に基づいて、回転部材を任意の特定位置で正確に静止させることができるようになる。このため、静止画を表示するときや動画表示の滑らかさよりも画面の明るさが優先されるようなときには、光源装置からの照明光束が光透過領域を通過する状態で回転部材を静止させることができるようになり、光利用効率を向上することができる。
【００２０】
（５）上記（１）〜（４）のいずれかに記載のプロジェクタにおいては、前記回転部材の光透過領域には減反射膜が形成されていることが好ましい。
このように構成することにより、回転部材の光透過領域における光透過率が向上して光利用効率の低下を最小限のものとすることができるとともに、迷光レベルが低減してコントラストを高めることができる。
また、このように構成することにより、光源装置からの照明光束が光透過領域を通過する状態で回転部材を静止させた場合であっても、光透過領域における光吸収による発熱が抑制され、回転部材が割れたり変形したりすることを効果的に抑制することができるようになる。
【００２１】
（６）上記（１）〜（５）のいずれかに記載のプロジェクタにおいては、前記回転部材の光非透過領域には反射膜が形成されていることが好ましい。
このように構成することにより、回転部材の光非透過領域で反射された光は光源装置に向かい、光源装置によって再び集束光束として被照明領域側に射出され、光の再利用が図られる。
【００２２】
（７）上記（６）に記載のプロジェクタにおいては、前記反射膜は前記光非透過領域の光入射面側に形成されていることが好ましい。
このように構成することにより、光非透過領域においては光源装置からの照明光束は、光入射面に形成された反射膜によって反射されるため、回転部材中を通過することがなくなる。このため、光非透過領域における光吸収による発熱が抑制され、回転部材が割れたり変形したりすることを効果的に抑制することができるようになる。
【００２３】
（８）上記（２）〜（７）のいずれかに記載のプロジェクタにおいては、前記駆動モータの回転部分又は前記回転部材には前記回転部材の回転位置を検出するための検出マークが配置され、前記回転位置検出装置は、前記検出マークを光学的に検知して前記回転部材の回転位置を検出することが好ましい。
【００２４】
このように構成することにより、下記（９）で後述する光透過領域及び光非透過領域からなるパターンを検知する場合と比較して、回転位置の検出を精度よく容易に行うことができるように、検出マークのパターンや位置を設定することができるため、回転位置の検出を精度よく容易に行うことができるようになる。
反射型の検出マークを配置する場合には、回転位置検出装置は、検出マークからの反射光を検知するフォトリフレクタを用いるのが好ましい。この場合、フォトリフレクタは後述のフォトインタラプタと比較して小型であることから、駆動モータの回転部分又は回転部材に検出マークを配置するときの自由度が高まるという利益もある。
また、透過型の検出マークを配置する場合には、回転位置検出装置は、検出マークからの透過光を検知するフォトインタラプタを用いるのが好ましい。この場合、フォトインタラプタはフォトリフレクタと比較して検出精度が高いことから、駆動モータの回転部分又は回転部材における検出マークの検出精度が高まるという利益もある。
【００２５】
（９）上記（２）〜（７）のいずれかに記載のプロジェクタにおいては、前記回転位置検出装置は、前記回転部材における光透過領域及び光非透過領域からなるパターンを光学的に検知して前記回転部材の回転位置を検出することも好ましい。
【００２６】
このように構成することにより、上記（８）で前述した検出マークを検知する場合と比較して、わざわざ検出マークを配置しなくても回転部材の回転位置を検出することができる。
この場合、回転位置検出装置による光透過領域及び光非透過領域からなるパターンの検知は、光非透過領域からの反射光を検知するフォトリフレクタを用いることもできるし、光透過領域からの透過光を検知するフォトインタラプタを用いることもできる。
【００２７】
（１０）上記（１）〜（９）のいずれかに記載のプロジェクタにおいては、前記駆動モータはパルスモータであることが好ましい。
【００２８】
パルスモータは、入力されたパルス信号に応じて回転するため、ある時点における回転部材の回転位置を知得すれば、その後は、パルス信号に基づいて回転部材の回転位置を正確に知得することができるようになる。このため、回転位置検出装置によって回転部材の回転位置を適宜検出するようにすれば、パルス信号に基づいて回転部材の回転位置を常時正確に検出することができるようになる。また、その結果回転部材を正確な回転位置で静止させることもできる。
【００２９】
（１１）上記（１０）に記載のプロジェクタにおいては、前記駆動モータ制御装置は、前記駆動モータの回転速度を加速又は減速する際に用いる加減速テーブルを有することが好ましい。
【００３０】
パルスモータは、ある回転状態において許容される所定以上の周波数を有するパルス信号が入力された場合には正常な回転状態を維持することができなくなる。このため、正常な回転状態を維持しながら加減速を行うことができる条件が記録された加減速テーブルを参照することによって、パルスモータにおける正常な加速及び減速が可能になる。
【００３１】
（１２）上記（１）〜（９）のいずれかに記載のプロジェクタにおいては、前記駆動モータはＤＣモータであることも好ましい。
【００３２】
ＤＣモータは、パルスモータの場合よりも高速回転が容易であるため、光の遮断を高速度で行うことが容易になり、その結果滑らかで良質な動画表示を行うことも容易になる。また、ＤＣモータは、パルスモータの場合よりも低騒音であるため、例えば映画を視聴する際などにおいて、回転部材を高速で回転させる際に発生する騒音レベルを低いものとすることができる。
【００３３】
（１３）上記（１２）に記載のプロジェクタにおいては、前記駆動モータの回転部分又は前記回転部材には、その回転方向に沿って、前記回転部材の回転位置を検出するための複数の位置検出マークが配置されていることが好ましい。
【００３４】
このように構成することにより、駆動モータとしてＤＣモータを用いた場合でも、回転方向に沿って配置された複数の位置検出マークを順次検知することにより、回転部材の回転位置を正確に検出することができるようになる。このため、光源装置からの照明光束が光透過領域を通過する状態で回転部材を確実に静止させることが容易にできるようになる。
【発明を実施するための最良の形態】
【００３５】
以下、本発明のプロジェクタについて、図に示す実施の形態に基づいて説明する。
【００３６】
〔実施形態１〕
図１は、本発明の実施形態１に係るプロジェクタを説明するために示す図である。図１（ａ）は平面図であり、図１（ｂ）は側面図である。図１（ｃ）は、図１（ａ）及び図１（ｂ）の回転板を説明するために示す図である。図１（ｄ）は、被照明領域である電気光学変調装置としての液晶表示装置上における照明状態を示す図である。図２は、光シャッタ装置を説明するために示すブロック図である。
なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３７】
実施形態１に係るプロジェクタ１０００Ａは、図１（ａ）及び図１（ｂ）に示すように、照明装置１００Ａと、照明装置１００Ａからの光束を赤、青、緑の３つの色光に対応する光束に分割する色分離光学系２００Ａと、色分離光学系２００Ａによって分離された３つの色光に対応する光束のそれぞれを画像情報に応じて変調する３つの液晶表示装置４００Ｒ，４００Ｇ，４００Ｂと、これら３つの液晶表示装置４００Ｒ，４００Ｇ，４００Ｂによって変調された光束を合成するクロスダイクロイックプリズム５００と、このクロスダイクロイックプリズム５００によって合成された光束をスクリーンＳＣＲなどの投写面上に投写する投写光学系６００とを備えている。液晶表示装置４００Ｒ，４００Ｇ，４００Ｂとしては、縦寸法：横寸法＝９：１６の長方形の平面形状を有するワイドビジョン用の液晶表示装置を用いている。
【００３８】
照明装置１００Ａは、被照明領域側に照明光束を集束光束として射出する光源装置１１０、光源装置１１０からの照明光束を略平行な照明光束に変換する平行化凸レンズ１１８、平行化凸レンズ１１８からの照明光束を複数の部分光束に分割するための複数の小レンズを有する第１レンズアレイ１２０、複数の小レンズを有する第２レンズアレイ１３０、照明光束を偏光光に変換するための偏光変換素子１４０及びこの偏光変換素子１４０からの各部分光束を被照明領域で重畳させるための重畳レンズ１５０を有している。光源装置１１０と後述する回転板２０との間には赤外線ミラー１１５が配置されており、回転板２０への熱的負荷が低減されている。
【００３９】
光源装置１１０は、楕円面リフレクタ１１４と、楕円面リフレクタ１１４の第１焦点近傍に発光中心を有する発光管１１２とを有している。発光管１１２には、発光管１１２から被照明領域側に射出される光を楕円面リフレクタ１１４に向けて反射する反射手段としての補助ミラー１１６が設けられている。
【００４０】
実施形態１に係るプロジェクタ１０００Ａにおいては、図１（ａ）及び図１（ｂ）に示すように、光源装置１１０からの照明光束が集束する位置近傍には光シャッタ装置７００Ａが配置されている。光シャッタ装置７００Ａは、図２に示すように、光シャッタとしての回転板２０と、この回転板２０を回転させるための駆動モータ１０及びこの駆動モータ１０を駆動制御する駆動モータ制御装置１２からなる回転制御装置１４と、回転板２０の回転位置を検出するための回転位置検出装置１６とを有している。
【００４１】
回転板２０は、照明光軸１００Ａａｘに平行な回転軸を有し、図１（ｃ）に示すように、回転方向に沿って光透過領域２２と光非透過領域２４とが交互に配置されている。そして、液晶表示装置４００Ｒ，４００Ｇ，４００Ｂに照射される照明光束が液晶表示装置４００Ｒ，４００Ｇ，４００Ｂの画面書込み周波数に同期して遮断されるよう間欠的に光の遮断を行う機能を有している。
【００４２】
実施形態１に係るプロジェクタ１０００Ａにおいては、画面書込みは、液晶表示装置４００Ｒ，４００Ｇ，４００Ｂに同一画面を２度繰り返し書き込む倍速駆動を行っている。そして、１回目の書込み時は光を遮断し、２回目の書込み時に光を通過させることで、液晶表示装置４００Ｒ，４００Ｇ，４００Ｂが十分に応答する前の画面に基づいて光変調を行うことがなくなり、液晶表示装置４００Ｒ，４００Ｇ，４００Ｂの応答速度に左右されない高画質の動画表示を行うことが可能となっている。
【００４３】
実施形態１に係るプロジェクタ１０００Ａにおいては、上記のような回転板２０が設けられている。このため、回転板２０を所定の速度で回転させることにより、液晶表示装置４００Ｒ，４００Ｇ，４００Ｂの画像形成領域において光照射を所定のタイミングで間欠的に行うことが容易にできるようになる。その結果、尾引き現象が緩和され、滑らかで良質な動画表示が得られるようになる。
【００４４】
また、実施形態１に係るプロジェクタ１０００Ａにおいては、上記のような効果を奏する回転板２０は、光源装置１１０からの照明光束が集束する位置近傍に配置されている。その結果、回転板２０の大きさを極力小さくすることができ、プロジェクタの大型化を極力抑制することができる。このため、実施形態１に係るプロジェクタは、滑らかで良質な動画表示が得られるようにした場合であっても小型化が容易な構造をもったプロジェクタとなる。
【００４５】
また、実施形態１に係るプロジェクタ１０００Ａにおいては、回転制御装置１４は、光源装置１１０からの照明光束が光透過領域２２を通過する状態で回転部材としての回転板２０を静止させる機能を有している。このため、静止画を表示するときや動画表示の滑らかさよりも画面の明るさが優先されるようなときには、光源装置１１０からの照明光束が光透過領域２２を通過する状態で回転板２０を静止させることにより、液晶表示装置４００Ｒ，４００Ｇ，４００Ｂには連続して照明光束が照射されるようになり、光利用効率が低下することがなくなる。
このため、実施形態１に係るプロジェクタ１０００Ａによれば、滑らかで良質な動画表示が求められるときには、回転板２０を回転させることにより滑らかで良質な動画表示を得ることができ、静止画を表示するときや動画表示の滑らかさよりも画面の明るさが優先されるようなときには、光源装置１１０からの照明光束が光透過領域２２を通過する状態で回転板２０を静止させることにより明るい表示画面を得ることができ、使用目的に応じて最適な性能を発揮することができる。
【００４６】
実施形態１に係るプロジェクタ１０００Ａにおいては、上記したように、回転部材２０の回転位置を検出するための回転位置検出装置１６を備えている。そして、回転制御装置１４は、回転位置検出装置１６による検出結果に基づいて、光源装置１１０からの照明光束が光透過領域２２を通過する状態で回転板２０を静止させる機能を有している。
このため、回転制御装置１４は、回転位置検出装置１６による検出結果に基づいて、回転板２０を任意の特定位置で正確に静止させることができるようになるため、静止画を表示するときや動画表示の滑らかさよりも画面の明るさが優先されるようなときには、光源装置１１０からの照明光束が光透過領域２２を通過する状態で回転板２０を正しく静止させることができるようになり、光利用効率を向上することができる。
【００４７】
図３は、回転板の構造を説明するために示す図である。図３（ａ）は図１（ｃ）のＡ−Ａ断面図である。図３（ｂ）は、図３（ａ）のＢ部分を拡大して示す断面図である。
実施形態１に係るプロジェクタ１０００Ａにおいては、回転板２０は、図３に示すように、透明基材２５に光非透過部材としての金属膜２６を所定パターンに成膜することにより形成されている。このため、光非透過領域２４における光透過率を極めて低いものにするとともに耐光性の高いものにすることができる。なお、光非透過部材としては、金属膜２６に代えて誘電体多層膜を用いることもできる。
【００４８】
実施形態１に係るプロジェクタ１０００Ａにおいては、上述したように、回転板２０の光非透過領域２４には反射膜としての金属膜２６が形成されている。このため、この金属膜２６で反射された光は、楕円面リフレクタ１１４を介して発光管１１２に向かう。この光はさらに発光管１１２を通過して補助ミラー１１６によって反射され、再び楕円面リフレクタ１１４に向かい、光の再利用が図られる。また、この光が発光管１１２の発光部中心近傍に存在するプラズマに吸収される場合には、プラズマの温度が上昇し、その結果、発光強度が高まる。
このため、実施形態１に係るプロジェクタ１０００Ａによれば、滑らかで良質な動画表示が得られるようにした場合であっても光利用効率が大幅に低下しないプロジェクタとなる。
【００４９】
実施形態１に係るプロジェクタ１０００Ａにおいては、図３（ｂ）に示すように、金属膜２６は光非透過領域２４の光入射面側に形成されている。このため、光非透過領域２４においては光源装置１１０からの照明光束は、光入射面に形成された金属膜２６によって反射されるため、回転板２０中を通過することがなくなる。このため、光非透過領域２４における光吸収による発熱が抑制され、回転板２０が割れたり変形したりすることが効果的に抑制されることとなる。
【００５０】
実施形態１に係るプロジェクタ１０００Ａにおいては、回転板２０の光透過領域２２及び光非透過領域２４には、誘電体多層膜からなる減反射膜２７が形成されている。このため、回転板２０の光透過領域２２における光透過率が向上して光利用効率の低下を最小限のものにすることができる。また、迷光レベルが低減しコントラストを高めることができる。また、光源装置１１０からの照明光束が光透過領域２２を通過する状態で回転板２０を静止させた場合であっても、光透過領域２２における光吸収による発熱が抑制され、回転板２０が割れたり変形したりすることを効果的に抑制することができるようになる。
【００５１】
なお、回転板としては、不透明基材に所定パターンのスリットを設けることにより形成した回転板を用いることもできる。この場合には、回転板の光透過領域が空気層となるため、光透過率が向上して光利用効率の低下を最小限のものにすることができ、迷光レベルが低減しコントラストを高めることができる。
【００５２】
図４は、回転位置検出装置によって回転板の回転位置を検出する場合について説明するために示す図である。図４（ａ）は、駆動モータ及び回転位置検出装置の配置状態を示す斜視図である。図４（ｂ）は、回転位置検出装置によって駆動モータの回転部分における検出マークを検知する状態を示す斜視図である。図４（ｃ）は、検出マークが印刷されたラベルを示す平面図である。図５は、他の回転位置検出装置によって回転板の回転位置を検出する場合について説明するために示す図である。図５（ａ）は、回転板及び回転位置検出装置の配置状態を示す斜視図である。図５（ｂ）は、回転位置検出装置によって回転板の光透過領域を検知する状態を示す斜視図である。
【００５３】
実施形態１に係るプロジェクタ１０００Ａにおいては、図４（ａ）に示すように、駆動モータ１０の外周面（この駆動モータ１０においては外周面も回転するように構成されている。）には、回転板２０の回転位置を検出するために用いられる検出マーク１８Ａが印刷されたラベル１８（図４（ｃ）に図示）が貼付されている。このため、回転板２０における回転位置の検出は、検出マーク１８Ａを検出することにより行われる。
なお、検出マーク１８Ａが印刷されたラベル１８は、回転板２０の側面又は端面に貼付してもよい。この場合、回転板２０における回転位置の検出は、回転板２０に配置された検出マーク１８Ａを検出することにより行われる。
【００５４】
回転位置検出装置１６には、図４（ｂ）に示すように、検出マーク１８Ａに光を照射するための発光部１５及び検出マーク１８Ａからの反射光を検知する受光部１７を有するフォトリフレクタを用いている。このため、回転板２０における回転位置の検出は、発光部１５から照射した光が検出マーク１８Ａで反射され、この反射光を受光部１７で受光することにより行われる。フォトリフレクタは後述するフォトインタラプタと比較して小型であることから、駆動モータ１０の外周部をはじめとする駆動モータ１０の回転部分や回転板２０に検出マーク１８Ａを配置するときの自由度が高くなる。
【００５５】
実施形態１に係るプロジェクタ１０００Ａにおいては、駆動モータ１０の外周部に検出マーク１８Ａを配置し、この検出マーク１８Ａを検知することにより回転板２０の回転位置を検出する場合について説明したが、回転板２０の光透過領域２２及び光非透過領域２４からなるパターンを光学的に検知して回転板２０の回転位置を検出するようにしてもよく、この場合には、わざわざ検出マークを配置しなくても回転板２０の回転位置を検出することができるという利益がある。
この場合、図５（ａ）及び図５（ｂ）に示すように、回転位置検出装置１６Ａとしては、回転板２０に光を照射するための発光部１５Ａ及び回転板２０からの透過光を検知する受光部１７Ａを有するフォトインタラプタを好適に用いることができる。また、回転板２０における回転位置の検出は、回転板２０の光非透過領域２４（反射領域）からの反射光を検知するフォトリフレクタを用いることもできる。
【００５６】
図６は、他の回転板を示す正面図である。実施形態１に係るプロジェクタ１０００Ａにおいては、回転板２０には回転方向に沿って光透過領域２２と光非透過領域２４とがそれぞれ１つずつ交互に配置されてなる場合について説明したが、これには限られず、図６に示すように、例えば、回転板２０Ｂの回転方向に沿って光透過領域２２Ｂと光非透過領域２４Ｂとがそれぞれ５つずつ順次交互に配置されてなる場合であってもよい。この場合、実施形態１に係るプロジェクタ１０００Ａにおける回転板２０と比べ、より低い速度で回転板２０Ｂを回転させることにより、実施形態１に係るプロジェクタ１０００Ａの場合と同様に液晶表示装置４００Ｒ，４００Ｇ，４００Ｂの画像形成領域において光照射を所定のタイミングで間欠的に行うことが容易にできるようになるため、騒音を抑制できるという利益がある。
【００５７】
実施形態１に係るプロジェクタ１０００Ａにおいては、駆動モータ１０としてはパルスモータ（ステッピングモータ）を用いている。
パルスモータは、入力されたパルス信号に応じて回転するため、ある時点における回転板２０の回転位置を知得すれば、その後は、パルス信号に基づいて回転板２０の回転位置を正確に知得することができるようになる。このため、回転位置検出装置１６によって回転板２０の回転位置を適宜検出するようにすれば、パルス信号に基づいて回転板２０の回転位置を常時正確に検出することができるようになる。また、その結果、回転板２０を正確な回転位置で静止させることも容易にできるようになる。
【００５８】
実施形態１に係るプロジェクタ１０００Ａにおいては、駆動モータ制御装置１２は、駆動モータ１０の回転速度を加速又は減速する際に用いる加減速テーブルを有している。
パルスモータは、ある回転状態において許容される所定以上の周波数を有するパルス信号が入力された場合には正常な回転状態を維持することができなくなる。このため、正常な回転状態を維持しながら加減速を行うことができる条件が記録された加減速テーブルを参照することによって、パルスモータにおける正常な加速及び減速が可能になる。
【００５９】
なお、実施形態１に係るプロジェクタ１０００Ａにおいては、駆動モータ１０としてパルスモータを用いる場合について説明したが、駆動モータとしてＤＣモータを用いることもできる。
ＤＣモータは、パルスモータの場合よりも高速回転が容易であるため、光の遮断を高速度で行うことが容易になり、その結果滑らかで良質な動画表示を行うことも容易になる。また、ＤＣモータは、パルスモータの場合よりも低騒音であるため、回転板２０を高速で回転させる際に発生する騒音レベルを低いものとすることができ、例えば映画を視聴する際などにおいて有用なものとなる。
【００６０】
図７は、複数の検出マークが印刷された他のラベルを示す平面図である。駆動モータ１０としてＤＣモータを用いた場合には、駆動モータ１０の外周部には、図７に示すようなラベル１９（すなわち、検出マーク１９Ａに加えて、回転方向に沿って複数の検出マーク１９Ｂが印刷されたラベル）が貼付されていることが好ましい。これにより、駆動モータ１０としてＤＣモータを用いた場合でも、検出マーク１９Ａ及び検出マーク１９Ｂを順次検知することにより、回転板２０の回転位置を正確に検出することができるようになる。このため、光源装置１１０からの照明光束が光透過領域２２を通過する状態で回転板２０を確実に静止させることが容易にできるようになる。
【００６１】
実施形態１に係るプロジェクタ１０００Ａにおいては、上記したように、リフレクタとして楕円面リフレクタ１１４を用いている。このため、発光管１１２からの光を一旦楕円面リフレクタ１１４によって細く絞って平行化することができるため、放物面リフレクタを用いる場合と比較して光源装置１１０の後段に設けられる照明装置の各光学要素（第１レンズアレイ１２０、第２レンズアレイ１３０、偏光変換素子１４０、重畳レンズ１５０）、色分離光学系２００Ａ、液晶表示装置４００Ｒ，４００Ｇ，４００Ｂ、クロスダイクロイックプリズム５００及び投写レンズ６００などの光学要素の大きさを小さくすることができ、プロジェクタの小型化を図ることができる。
【００６２】
実施形態１に係るプロジェクタ１０００Ａにおいては、上記したように、発光管１１２には、発光管１１２から被照明領域側に射出される光を楕円面リフレクタ１１４に向けて反射する反射手段としての補助ミラー１１６が設けられている。このため、発光管１１２から被照明領域側に放射される光が補助ミラー１１６によって楕円面リフレクタ１１４に向けて反射されるため、発光管１１２の被照明領域側端部を覆うような大きさに楕円面リフレクタ１１４の大きさを設定することを必要とせず、楕円面リフレクタ１１４のさらなる小型化を図ることができ、結果としてプロジェクタのさらなる小型化を図ることができる。
【００６３】
〔実施形態２〕
図８は、本発明の実施形態２に係るプロジェクタを説明するために示す図である。図８（ａ）は平面図であり、図８（ｂ）は側面図である。図８（ｃ）は、図８（ａ）及び図８（ｂ）の回転板を説明するために示す図である。図８（ｄ）は、被照明領域である液晶表示装置上における照明状態を示す図である。図８において、図１と同一の部材については同一の符号を付し、詳細な説明は省略する。
【００６４】
実施形態２に係るプロジェクタ１０００Ｂは、図８（ａ）及び図８（ｂ）に示すように、液晶表示装置として１枚の液晶表示装置４００を用いている点、及びインテグレータ光学系として、インテグレータロッド１６０及びリレーレンズ１７０からなるロッドインテグレータを用いている点で、実施形態１に係るプロジェクタ１０００Ａの場合とは異なっている。
【００６５】
しかしながら、実施形態２に係るプロジェクタ１０００Ｂは、実施形態１に係るプロジェクタ１０００Ａの場合と同様に、液晶表示装置４００に照射される照明光束が液晶表示装置４００の画面書込み周波数に同期して遮断されるよう間欠的に光の遮断を行う回転板２０を備えているため、液晶表示装置４００の画像形成領域においては光照射が所定のタイミングで間欠的に行われるようになる。その結果、実施形態２に係るプロジェクタ１０００Ｂにおいても、尾引き現象が緩和され、滑らかで良質な動画表示が得られるプロジェクタとなる。
また、実施形態２に係るプロジェクタ１０００Ｂにおいては、このような効果を奏する回転板２０が、光源装置１１０からの照明光束が集束する、インテグレータロッド１６０の光入射面近傍に配置されているため、回転板２０の大きさを比較的小さくすることができ、プロジェクタの大型化を極力抑制することができる構造となっている。
このため、実施形態２に係るプロジェクタ１０００Ｂは、滑らかで良質な動画表示が得られるようにした場合であっても小型化が容易な構造をもったプロジェクタとなる。
【００６６】
実施形態２に係るプロジェクタ１０００Ｂは、実施形態１に係るプロジェクタ１０００Ａの場合と同様に、回転制御装置（図示せず。）は、光源装置１１０からの照明光束が光透過領域２２を通過する状態で回転板２０を静止させる機能を有している。
このため、実施形態２に係るプロジェクタ１０００Ｂによれば、静止画を表示するときや動画表示の滑らかさよりも画面の明るさが優先されるようなときには、光源装置１１０からの照明光束が光透過領域２２を通過する状態で回転板２０を静止させることにより、液晶表示装置４００には連続して照明光束が照射されるようになり、光利用効率が低下することがなくなる。
このため、実施形態２に係るプロジェクタ１０００Ｂによれば、滑らかで良質な動画表示が求められるときには、回転板２０を回転させることにより滑らかで良質な動画表示を得ることができ、静止画を表示するときや動画表示の滑らかさよりも画面の明るさが優先されるようなときには、光源装置１１０からの照明光束が光透過領域２２を通過する状態で回転板２０を静止させることにより明るい表示画面を得ることができ、使用目的に応じて最適な性能を発揮することができる。
【００６７】
また、実施形態２に係るプロジェクタ１０００Ｂにおいては、実施形態１に係るプロジェクタ１０００Ａの場合と同様に、回転板２０の回転位置を検出するための回転位置検出装置（図示せず。）をさらに備えている。そして、回転制御装置は、この回転位置検出装置による検出結果に基づいて、光源装置１１０からの照明光束が光透過領域２２を通過する状態で回転板２０を静止させる機能を有している。
このため、回転制御装置は、回転位置検出装置による検出結果に基づいて、回転板２０を任意の特定位置で正確に静止させることができるようになるため、静止画を表示するときや動画表示の滑らかさよりも画面の明るさが優先されるようなときには、光源装置１１０からの照明光束が光透過領域２２を通過する状態で回転板２０を静止させることができるようになり、光利用効率を向上することができる。
【００６８】
なお、実施形態２に係るプロジェクタ１０００Ｂにおいては、１枚の液晶表示装置４００からなるいわゆる単板式のプロジェクタについて説明したが、例えば、実施形態１に係るプロジェクタ１０００Ａで用いたような、３つの液晶表示装置４００Ｒ，４００Ｇ，４００Ｂからなるいわゆる３板式のプロジェクタであっても同様の効果が得られる。
【００６９】
〔実施形態３〕
図９は、本発明の実施形態３に係るプロジェクタを説明するために示す図である。図９（ａ）は平面図であり、図９（ｂ）は側面図である。図９（ｃ）は、図９（ａ）及び図９（ｂ）の回転ホイールを説明するために示す図である。図９（ｄ）は、被照明領域である液晶表示装置上における照明状態を示す図である。図９において、図１と同一の部材については同一の符号を付し、詳細な説明は省略する。なお、図９（ａ）及び図９（ｂ）に示すリレーレンズ７５４は一部簡略化して示しており、図８（ａ）及び図８（ｂ）に示すリレー光学系１７０と同一のものである。
【００７０】
実施形態３に係るプロジェクタ１０００Ｃは、色分離光学系として図９（ａ）に示すようなダブルリレー光学系１８０を含む色分離光学系２００Ｂを用いた点、及び光シャッタとして図９（ｃ）に示すような回転ホイール３０を用いた点で、実施形態１に係るプロジェクタ１０００Ａの場合とは異なっている。
【００７１】
しかしながら、実施形態３に係るプロジェクタ１０００Ｃは、液晶表示装置４００Ｒ，４００Ｇ，４００Ｂの画面書込み周波数に同期して、光照射領域と光非照射領域とが順次交互にスクロールされるように渦巻き状に形成された光透過領域３２及び光非透過領域３４を有する回転ホイール３０を備えているため、図９（ｄ）に示すように、液晶表示装置４００Ｒ，４００Ｇ，４００Ｂの画像形成領域においては光照射領域と光非照射領域とが順次交互にスクロールされるようになる。その結果、実施形態１に係るプロジェクタ１０００Ａの場合と同様に、尾引き現象が緩和され、滑らかで良質な動画表示が得られるようになる。
【００７２】
また、実施形態３に係るプロジェクタ１０００Ｃにおいては、このような効果を奏する回転ホイール３０が、比較的小さな面積となるインテグレータロッド１６０の光射出面近傍に配置されているため、回転ホイール３０の大きさを比較的小さくすることができ、プロジェクタの大型化を極力抑制することができる構造となっている。
このため、実施形態３に係るプロジェクタ１０００Ｃは、滑らかで良質な動画表示が得られるようにした場合であっても小型化が容易な構造をもったプロジェクタとなる。
【００７３】
実施形態３に係るプロジェクタ１０００Ｃは、実施形態１に係るプロジェクタ１０００Ａの場合と同様に、回転制御装置（図示せず。）は、光源装置１１０からの照明光束が光透過領域３２を通過する状態で回転部材としての回転ホイール３０を静止させる機能を有している。
このため、実施形態３に係るプロジェクタ１０００Ｃによれば、静止画を表示するときや動画表示の滑らかさよりも画面の明るさが優先されるようなときには、光源装置１１０からの照明光束が光透過領域３２を通過する状態で回転ホイール３０を静止させることにより、液晶表示装置４００Ｒ，４００Ｇ，４００Ｂには連続して照明光束が照射されるようになり、光利用効率が低下することがなくなる。
このため、実施形態３に係るプロジェクタ１０００Ｃによれば、滑らかで良質な動画表示が求められるときには、回転ホイール３０を回転させることにより滑らかで良質な動画表示を得ることができ、静止画を表示するときや動画表示の滑らかさよりも画面の明るさが優先されるようなときには、光源装置１１０からの照明光束が光透過領域３２を通過する状態で回転ホイール３０を静止させることにより明るい表示画面を得ることができ、使用目的に応じて最適な性能を発揮することができる。
【００７４】
また、実施形態３に係るプロジェクタ１０００Ｃにおいては、実施形態１に係るプロジェクタ１０００Ａの場合と同様に、回転部材としての回転ホイール３０の回転位置を検出するための回転位置検出装置（図示せず。）をさらに備えている。そして、回転制御装置は、この回転位置検出装置による検出結果に基づいて、光源装置１１０からの照明光束が光透過領域３２を通過する状態で回転ホイール３０を静止させる機能を有している。
このため、回転制御装置は、回転位置検出装置による検出結果に基づいて、回転ホイール３０を任意の特定位置で正確に静止させることができるようになるため、静止画を表示するときや動画表示の滑らかさよりも画面の明るさが優先されるようなときには、光源装置１１０からの照明光束が光透過領域３２を通過する状態で回転ホイール３０を静止させることができるようになり、光利用効率を向上することができる。
【００７５】
〔比較例〕
図１０は、実施形態３に係るプロジェクタにおける回転ホイールと比較例に係るプロジェクタにおける回転ホイールとについて説明するために示す図である。図１０（ａ）は比較例に係るプロジェクタにおける回転ホイールの平面図である。図１０（ｂ）は、被照明領域である液晶表示装置上における照明状態を示す図である。
比較例に係るプロジェクタにおける回転ホイール３０ａは、実施形態３に係るプロジェクタ１０００Ｃにおける回転ホイール３０に比べて渦巻きパターンの幅が狭く形成されている。このため、この回転ホイール３０ａを静止した場合には、光源装置１１０からの照明光束は、図１０（ａ）に示すように、必ず光透過領域３２ａ及び光非透過領域３４ａの両方の領域に照射されることになるため、静止画を表示するときや動画表示の滑らかさよりも画面の明るさが優先されるようなときであっても、光源装置１１０からの照明光束が光透過領域３２ａを通過する状態で回転ホイール３０ａを静止させることができないため、光利用効率の向上を図ることができない。
【００７６】
〔実施形態４〕
図１１は、実施形態４に係るプロジェクタの光学系を示す図である。図１１（ａ）は平面図であり、図１１（ｂ）は側面図である。図１１において、図９と同一の部材については同一の符号を付し、詳細な説明は省略する。なお、図１１（ａ）及び図１１（ｂ）に示すレンズ７５２は一部簡略化して示しており、図８（ａ）及び図８（ｂ）に示すリレー光学系１７０と同一のものを用いることができる。
【００７７】
実施形態４に係るプロジェクタ１０００Ｄは、色分離光学系として、図１１（ａ）に示すように、照明装置１００Ｃから液晶表示装置４００Ｒ，４００Ｇ，４００Ｂまでの光路長が等しい等光路光学系を用いた点で、実施形態３に係るプロジェクタ１０００Ｃの場合とは異なっている。
【００７８】
しかしながら、実施形態４に係るプロジェクタ１０００Ｄは、その他の点では実施形態３に係るプロジェクタ１０００Ｃと同様の構成を有しているため、実施形態３に係るプロジェクタ１０００Ｃが有する効果をそのまま有する。
すなわち、液晶表示装置４００Ｒ，４００Ｇ，４００Ｂの画面書込み周波数に同期して、光照射領域と光非照射領域とが順次交互にスクロールされるように渦巻き状に形成された光透過領域３２及び光非透過領域３４を有する回転ホイール３０を備えているため、液晶表示装置４００Ｒ，４００Ｇ，４００Ｂの画像形成領域においては光照射領域と光非照射領域とが順次交互にスクロールされるようになる。
【００７９】
また、このような効果を奏する回転ホイール３０が、比較的小さな面積となるインテグレータロッド１６０の光射出面近傍に配置されているため、回転ホイール３０の大きさを比較的小さくすることができ、プロジェクタの大型化を極力抑制することができる構造となっている。
このため、実施形態４に係るプロジェクタ１０００Ｄは、滑らかで良質な動画表示が得られるようにした場合であっても小型化が容易な構造をもったプロジェクタとなる。
【００８０】
また、静止画を表示するときや動画表示の滑らかさよりも画面の明るさが優先されるようなときには、光源装置１１０からの照明光束が光透過領域３２を通過する状態で回転ホイール３０を静止させることにより、液晶表示装置４００Ｒ，４００Ｇ，４００Ｂには連続して照明光束が照射されるようになり、光利用効率が低下することがなくなる。
このため、実施形態４に係るプロジェクタ１０００Ｄによれば、滑らかで良質な動画表示が求められるときには、回転ホイール３０を回転させることにより滑らかで良質な動画表示を得ることができ、静止画を表示するときや動画表示の滑らかさよりも画面の明るさが優先されるようなときには、光源装置１１０からの照明光束が光透過領域３２を通過する状態で回転ホイール３０を静止させることにより明るい表示画面を得ることができ、使用目的に応じて最適な性能を発揮することができる。
【００８１】
また、回転部材としての回転ホイール３０の回転位置を検出するための回転位置検出装置（図示せず。）をさらに備えており、回転制御装置は、この回転位置検出装置による検出結果に基づいて、光源装置１１０からの照明光束が光透過領域３２を通過する状態で回転ホイール３０を静止させる機能を有しているため、回転制御装置は、回転位置検出装置による検出結果に基づいて、回転ホイール３０を任意の特定位置で正確に静止させることができるようになるため、静止画を表示するときや動画表示の滑らかさよりも画面の明るさが優先されるようなときには、光源装置１１０からの照明光束が光透過領域３２を通過する状態で回転ホイール３０を静止させることができるようになり、光利用効率を向上することができる。
【００８２】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００８３】
（１）上記各実施形態のプロジェクタ１０００Ａ〜１０００Ｄは透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。
【００８４】
（２）上記各実施形態のプロジェクタ１０００Ａ〜１０００Ｄは、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【００８５】
（３）上記各実施形態のプロジェクタ１０００Ａ〜１０００Ｄにおいては、被照明領域における平面形状の縦横寸法比を縦寸法：横寸法＝９：１６とする液晶表示装置である場合について説明したが、本発明はこれに限定されるものではなく、被照明領域における平面形状の縦横寸法比を縦寸法：横寸法＝３：４とする液晶表示装置であっても勿論よい。
【００８６】
（４）本発明は、投写画像を観察する側から投写するフロント投写型プロジェクタに適用する場合にも、投写画像を観察する側とは反対の側から投写するリア投写型プロジェクタにも適用できる。
【図面の簡単な説明】
【００８７】
【図１】実施形態１に係るプロジェクタを説明するために示す図。
【図２】光シャッタ装置を説明するために示すブロック図。
【図３】回転板の構造を説明するために示す図。
【図４】回転位置検出装置によって回転板の回転位置を検出する場合について説明するために示す図。
【図５】他の回転位置検出装置によって回転板の回転位置を検出する場合について説明するために示す図。
【図６】他の回転板を示す正面図。
【図７】複数の検出マークが形成された他のラベルを示す平面図。
【図８】実施形態２に係るプロジェクタを説明するために示す図。
【図９】実施形態３に係るプロジェクタを説明するために示す図。
【図１０】実施形態３に係るプロジェクタにおける回転ホイールと比較例に係るプロジェクタにおける回転部ホイールとについて説明するために示す図。
【図１１】実施形態４に係るプロジェクタの光学系を示す図。
【図１２】従来のプロジェクタを説明するために示す図。
【図１３】従来の他のプロジェクタを説明するために示す図。
【符号の説明】
【００８８】
１０…駆動モータ、１２…駆動モータ制御装置、１４…回転制御装置、１５，１５Ａ…発光部、１６，１６Ａ…回転位置検出装置、１７，１７Ａ…受光部、１８，１９…ラベル、１８Ａ，１９Ａ，１９Ｂ…検出マーク、２０，２０Ｂ…回転板、２２，２２Ｂ，３２，３２ａ…光透過領域、２４，２４Ｂ，３４，３４ａ…光非透過領域、２５…透明基材、２６…金属膜、２７…減反射膜、３０，３０ａ…回転ホイール、１００Ａ，１００Ｂ，１００Ｃ…照明装置、１００Ａａｘ，１００Ｂａｘ，１００Ｃａｘ…照明光軸、１１０…光源装置、１１２…発光管、１１４…楕円面リフレクタ、１１５…赤外線ミラー、１１６…補助ミラー、１１８…平行化凸レンズ、１２０…第１レンズアレイ、１３０…第２レンズアレイ、１４０…偏光変換素子、１５０…重畳レンズ、１６０…インテグレータロッド、１７０…リレー光学系、１８０…ダブルリレー光学系、２００Ａ，２００Ｂ，２００Ｃ…色分離光学系、３００…リレー光学系、４００，４００Ｒ，４００Ｇ，４００Ｂ…液晶表示装置、５００…クロスダイクロイックプリズム、６００…投写光学系、７００Ａ…光シャッタ装置、７００Ｃ…回転ホイール装置、１０００Ａ，１０００Ｂ，１０００Ｃ，１０００Ｄ…プロジェクタ
【図１】
2005250384.tif 000003
【図２】
2005250384.tif 000004
【図３】
2005250384.tif 000005
【図６】
2005250384.tif 000006
【図８】
2005250384.tif 000007
【図９】
2005250384.tif 000008
【図１０】
2005250384.tif 000009
【図１１】
2005250384.tif 000010
【図１２】
2005250384.tif 000011
【図１３】
2005250384.tif 000012
【図４】
2005250384.tif 000013
【図５】
2005250384.tif 000014
【図７】
2005250384.tif 000015